(57)【要約】【課題】簡便かつ迅速に、人工爪にネイルアートを施すことが可能なネイルマーカ、ネイルシステムおよびネイルアート形成方法を提供する。【解決手段】人工爪に対してネイルアートを施すためのペン状のネイルマーカ１０は、筒状の収容部１１ａを有する本体１１と、収容部１１ａ内に収容され、揮発性のインクを保持するインク保持部１２０と、一方の端部がインク保持部１２０に接続され、他方の端部にペン先１１１が形成され、インクが浸透する軸部材１１０と、ペン先１１１を外部に対して開放および遮蔽するための蓋と、を備える。【選択図】図２
2020121014.tif 000002
【特許請求の範囲】
【請求項１】
人工爪に対してネイルアートを施すためのペン状のネイルマーカであって、
筒状の収容部を有する本体と、
前記収容部内に収容され、揮発性のインクを保持するインク保持部と、
一方の端部が前記インク保持部に接続され、他方の端部にペン先が形成され、前記インクが浸透する軸部材と、
前記ペン先を外部に対して開放および遮蔽するための開閉部材と、を備える、ネイルマーカ。
【請求項２】
前記インクは、アルコール類を主成分とする溶剤に染料を溶解させたアルコール染料インクである、請求項１に記載のネイルマーカ。
【請求項３】
前記インクは、エタノールを主成分とする溶剤に染料を溶解させたエタノール染料インクである、請求項１または２に記載のネイルマーカ。
【請求項４】
前記ペン先は、先端に向かって細い円錐状の形状を有する、請求項１ないし３の何れか一項に記載のネイルマーカ。
【請求項５】
前記ペン先が、多数の繊維を集積させた筆状に形成されている、請求項１ないし４の何れか一項に記載のネイルマーカ。
【請求項６】
前記ペン先の根元の周囲が固化されている、請求項５に記載のネイルマーカ。
【請求項７】
前記ネイルマーカは、内部に収容したインクの色を識別可能な識別手段を備える、請求項１ないし６の何れか一項に記載のネイルマーカ。
【請求項８】
請求項１ないし７の何れか一項に記載の構成を有する第１のネイルマーカと、
請求項１ないし７の何れか一項に記載の構成において、前記インクに代えて、前記第１のネイルマーカに収容されたインクの染料を溶解可能な無色かつ揮発性の液体を前記収容部に収容させた第２のネイルマーカと、を備える、ネイルシステム。
【請求項９】
前記第１のネイルマーカに収容されているインクの溶剤と同じ溶剤が、前記液体として、前記第２のネイルマーカに収容されている、請求項８に記載のネイルシステム。
【請求項１０】
互いに異なる色のインクを収容した複数の前記第１のネイルマーカを備える、請求項８または９に記載のネイルシステム。
【請求項１１】
前記第１のネイルマーカに収容されたインクの染料を溶解可能な無色かつ揮発性の液体を収容するための容器と、
前記容器に収容された前記液体を塗布するためのネイルブラシと、をさらに備える、請求項８ないし１０の何れか一項に記載のネイルシステム。
【請求項１２】
請求項１ないし７の何れか一項に記載の構成の互いに異なる色のインクを収容した複数のネイルマーカのうち、一の前記ネイルマーカを用いて人工爪にインクを塗布し、
塗布したインクを硬化させることなく同じ色または異なる色のインクを収容した前記ネイルマーカで前記人工爪にインクを塗り重ね、
前記インクの塗り重ねをネイルアートの描画が完了するまで繰り返し行い、
描画が完了した前記人工爪にトップジェルを上塗りし、
上塗りした前記トップジェルを硬化させる、ネイルアート形成方法。
【発明の詳細な説明】
【技術分野】
【０００１】
本発明は、人工爪にネイルアートを形成するためのネイルマーカ、ネイルシステムおよびネイルアート形成方法に関する。
【背景技術】
【０００２】
現在、ネイルサロン等において、人工爪にネイルアートを形成する作業が行われている。人工爪は、人の手指および足指の爪に対して、チップ、ジェル、アクリルなどにより形成される。ネイルアートを形成する際には、この人工爪の表面に所定の模様が描かれる。模様は、ブラシを用いて種々の色のジェルを人工爪に塗布することにより描かれる。
【０００３】
以下の特許文献１には、ネイルアートの際に、装飾用のストーンを人工爪に設置するためのネイル用ストーンペンシルが記載されている。
【先行技術文献】
【特許文献】
【０００４】
【特許文献１】特表２０１７−５００１３１号公報
【発明の概要】
【発明が解決しようとする課題】
【０００５】
上記従来の方法では、所定の色のジェルを人工爪に塗布するごとに、ネイル用ライトを用いて光によりジェルを硬化させる必要があった。このため、作業者は、色を変えるごとに、硬化の工程のため、作業を中断せざるを得ず、ネイルアートの形成を円滑に進めることができなかった。また、通常、この硬化には、３０秒程度の時間を要する。このため、１つの人工爪にネイルアートを形成するために、長い時間がかかる。この点は、ネイルアートの図柄が複雑かつ多色になるほど顕著となる。通常、ネイルアートは、両手または両足の１０本の指に施される。こうなると、全ての指にネイルアートを施し終えるまでに、かなりの時間がかかってしまう。さらに、従来の方法では、ブラシで図柄を人工爪に描くため、精緻な図柄を描くのが困難であった。精緻な図柄を描くためには、作業者にかなりの熟練が必要であった。
【０００６】
かかる課題に鑑み、本発明は、簡便かつ迅速に、人工爪にネイルアートを施すことが可能なネイルマーカ、ネイルシステムおよびネイルアート形成方法を提供することを目的とする。
【課題を解決するための手段】
【０００７】
本発明の第１の態様は、人工爪に対してネイルアートを施すためのペン状のネイルマーカに関する。本態様に係るネイルマーカは、筒状の収容部を有する本体と、前記収容部内に収容され、揮発性のインクを保持するインク保持部と、一方の端部が前記インク保持部に接続され、他方の端部にペン先が形成され、前記インクが浸透する軸部材と、前記ペン先を外部に対して開放および遮蔽するための開閉部材と、を備える。
【０００８】
本態様に係るネイルマーカによれば、インク保持部に保持されたインクが、軸部材に浸透し、ペン先まで移動する。これにより、ペン先を人工爪に接触させることで、人工爪にネイルアートを施すことができる。また、ネイルマーカがペン状であるため、使用者は、ネイルマーカを手指で把持して簡便に人工爪にネイルアートを施すことができる。さらに、インクが揮発性であるため、インクを人工爪に塗布した後、ネイル用ライトの光によって硬化させなくとも、インクが速やかに乾いて、他のインクを重ね塗りできる。よって、使用者は、所望のネイルアートを迅速に完成させることができる。また、インクが本体の内部に収容されているため、本体内部のインクの揮発が抑制される。これにより、内部のインクが良好な濃度に維持される。よって、インクを用いた描画を安定的かつ良好に行うことができる。
【０００９】
本発明の第２の態様は、ネイルシステムに関する。本態様に係るネイルシステムは、第１の態様に記載の構成を有する第１のネイルマーカと、第１の態様に記載の構成において、前記インクに代えて、前記第１のネイルマーカに収容されたインクの染料を溶解可能な無色かつ揮発性の液体を前記収容部に収容させた第２のネイルマーカと、を備える。
【００１０】
本態様に係るネイルシステムによれば、第１のネイルマーカで人工爪に塗布したインクの箇所を第２のネイルマーカでなぞると、塗布されたインク中の染料が第２のネイルマーカの液体に溶解する。これにより、使用者は、人工爪に塗布したインクの箇所を、適宜、第２のネイルマーカにより消すことができ、あるいは、当該インクの箇所を暈かすことができる。よって、使用者は、より簡便に所望のネイルアートを人工爪に施すことができる。
【００１１】
本発明の第３の態様は、ネイルアート形成方法に関する。本態様に係るネイルアート形成方法では、第１の態様に記載の構成の互いに異なる色のインクを収容した複数のネイルマーカのうち、一の前記ネイルマーカを用いて人工爪にインクを塗布し、塗布したインクを硬化させることなく同じ色または異なる色のインクを収容した前記ネイルマーカで前記人工爪にインクを塗り重ね、前記インクの塗り重ねをネイルアートの描画が完了するまで繰り返し行い、描画が完了した前記人工爪にトップジェルを上塗りし、上塗りした前記トップジェルを硬化させる。
【００１２】
本態様に係るネイルアート形成方法によれば、ネイルマーカがペン状であるため、使用者は、ネイルマーカを手指で把持して簡便に人工爪にネイルアートを施すことができる。さらに、インクが揮発性であるため、使用者は、所望の色のインクを人工爪に塗布した後、インクを硬化させる工程を行うことなく、そのまま、インクの重ね塗りができる。また、本体内部のインクの揮発が抑制されるため、内部のインクが良好な濃度に維持される。これにより、インクを用いた描画を安定的かつ良好に行うことができる。さらに使用者は、人工爪に対する描画が完了した後、トップジェルを塗布して硬化させるだけで、描画を定着させることができる。よって、使用者は、所望のネイルアートを迅速かつ簡便に完成させることができる。
【発明の効果】
【００１３】
以上のとおり、本発明によれば、簡便かつ迅速に、人工爪にネイルアートを施すことが可能なネイルマーカ、ネイルシステムおよびネイルアート形成方法を提供することができる。
【００１４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１５】
【図１】図１は、実施形態に係るネイルシステムの構成を示す図である。
【図２】図２（ａ）は、実施形態に係るネイルマーカの本体の構成を示す断面図である。図２（ｂ）は、実施形態に係る本体の収容部内に収容されるインク保持部の構成を示す斜視図である。図２（ｃ）は、実施形態に係る組み立て後のネイルマーカの構成を示す断面図である。
【図３】図３（ａ）は、実施形態に係るペン先の外観構成を示す図である。図３（ｂ）は、変更例に係るペン先の外観構成を示す図である。図３（ｃ）は、実施形態に係るネイルマーカの各部のサイズを説明するための図である。
【図４】図４（ａ）は、比較例に係る従来のネイルアートの形成手順の概要を示すフローチャートである。図４（ｂ）は、比較例に係るネイル用ブラシを用いたネイルアートの描画の処理を説明するための図である。
【図５】図５（ａ）は、実施形態に係るネイルシステムを用いたネイルアートの形成手順の概要を示すフローチャートである。図５（ｂ）は、実施形態に係るネイルマーカを用いたネイルアートの描画の処理を説明するための図である。
【図６】図６（ａ）は、実施形態に係るネイルマーカを用いたネイルアートの修正の処理を説明するための図である。図６（ｂ）は、実施形態に係るネイルブラシを用いたネイルアートの調整の処理を説明するための図である。
【図７】図７（ａ）は、比較例に係る花柄のネイルアートを形成する際の作業内容および所要時間の結果を示す表である。図７（ｂ）は、実施形態に係る花柄のネイルアートを形成する際の作業内容および所要時間の結果を示す表である。
【図８】図８（ａ）は、比較例に係る完成した花柄のネイルアートを示す写真である。図８（ｂ）は、実施形態に係る完成した花柄のネイルアートを示す写真である。
【図９】図９（ａ）は、比較例に係る天然石のネイルアートを形成する際の作業内容および所要時間の結果を示す表である。図９（ｂ）は、実施形態に係る天然石のネイルアートを形成する際の作業内容および所要時間の結果を示す表である。
【図１０】図１０（ａ）は、比較例に係る完成した天然石のネイルアートを示す写真である。図１０（ｂ）は、実施形態に係る完成した天然石のネイルアートを示す写真である。
【図１１】図１１（ａ）、（ｂ）は、変更例に係るネイルマーカの識別手段の構成を示す模式図である。
【発明を実施するための形態】
【００１６】
以下、本発明の実施形態について図を参照して説明する。
【００１７】
図１は、ネイルシステム１の構成を示す図である。
【００１８】
ネイルシステム１は、複数のネイルマーカ１０と、１本のネイルマーカ２０と、容器３０と、ネイルブラシ４０、５０と、を備える。
【００１９】
ネイルマーカ１０は、人工爪（アーティフィシャルネイル）に対してネイルアートを施すためのペン状のネイル用マーカである。人工爪は、人の手指および足指の爪に対して、チップ、ジェル、アクリルなどにより形成される。ネイルマーカ１０は、本体１１と蓋１２を備える。また、ネイルマーカ１０は、図２（ａ）〜（ｃ）を参照して後述するように、軸部材１１０と、インク保持部１２０と、蓋１３０と、を備える。
【００２０】
本体１１は、内部にインクを収容する。蓋１２は、本体１１に着脱可能に構成されている。蓋１２が本体１１に取り付けられると、本体１１から外部に突出したペン先１１１が蓋１２により覆われる。蓋１２は、ペン先１１１を外部に対して開放および遮蔽するための開閉部材である。
【００２１】
複数のネイルマーカ１０は、互いに異なる色のインクを収容している。複数のネイルマーカ１０が収容するインクとして、たとえば、白色、黄色、オレンジ色、ピンク色、赤色、茶色、黄緑色、緑色、水色、青色、紫色、灰色、黒色、などが挙げられる。ネイルシステム１に含まれるネイルマーカ１０の本数は、たとえば２０本である。なお、ネイルマーカ１０の本数は２０本に限らず、ネイルシステム１を用いて施されるネイルアートに応じて適宜変更され得る。ネイルシステム１に含まれるネイルマーカ１０の本数は、１８〜２０本であるのが好ましい。
【００２２】
ネイルマーカ１０に収容されるインクは、油性の揮発性インクであり、アルコール類を主成分とする溶剤に染料を溶解させたアルコール染料インクである。具体的に、実施形態では、ネイルマーカ１０に収容されるインクは、エタノールを主成分とする溶剤に染料を溶解させたエタノール染料インクである。
【００２３】
ネイルマーカ２０は、ネイルマーカ１０により人工爪に塗布されたインクの箇所を消去または暈かすためのペン状のネイル用マーカである。ネイルマーカ２０は、ネイルマーカ１０に収容されたインクの染料を溶解可能な無色かつ揮発性の液体を収容する。実施形態では、ネイルマーカ２０に収容される液体は、エタノールである。ネイルマーカ２０は、内部に収容する液体がネイルマーカ１０に対して異なる点を除いて、ネイルマーカ１０と同様の構成である。なお、ネイルマーカ２０の本数は１本に限らず、２本以上であってもよい。
【００２４】
容器３０は、ネイルマーカ１０に収容されたインクの染料を溶解可能な無色かつ揮発性の液体を収容するための容器である。実施形態では、容器３０に収容される液体は、エタノールである。容器３０は、本体３１と蓋３２を備える。本体３１には、上部が開放され下方向に窪んだ収容部３１ａが形成されている。収容部３１ａには、エタノールが収容される。蓋３２は、本体３１の上端に載せられることにより、収容部３１ａを閉塞し、収容部３１ａに収容されたエタノールの揮発を抑制する。
【００２５】
ネイルブラシ４０、５０は、容器３０に収容されたエタノールを人工爪上のインクに塗布するためのネイル用ブラシである。ネイルブラシ４０は、本体４１と、本体４１の先端に幅広に取り付けられたブラシ４２と、を備える。同様に、ネイルブラシ５０は、本体５１と、本体５１の先端に幅広に取り付けられたブラシ５２と、を備える。ブラシ５２は、ブラシ４２よりも毛幅がさらに広がった状態で本体５１に取り付けられている。ブラシ５２の先端の形状は、斜め方向に延びている。
【００２６】
図２（ａ）は、ネイルマーカ１０の本体１１の構成を示す断面図である。
【００２７】
本体１１は、筒状の透明な部材であり、内部に筒状の収容部１１ａを有する。本体１１は、たとえばポリプロピレンにより構成される。図１に示した蓋１２も、本体１１と同様、透明な部材であり、たとえばポリプロピレンにより構成される。収容部１１ａの前端には開口１１ｂが形成されており、収容部１１ａの後端には開口１１ｃが形成されている。本体１１を本体１１の延びる方向に垂直な平面で切断した場合、切断面における本体１１および収容部１１ａの外周形状は、円形である。なお、切断面における本体１１および収容部１１ａの外周形状は、円形に限らず、多角形であってもよい。
【００２８】
本体１１の開口１１ｂには、軸部材１１０が固定されている。軸部材１１０は、インクが浸透可能な素材により構成されている。軸部材１１０は、一方の端部に、先端に向かって細い円錐状に形成されたペン先１１１を有している。ペン先１１１は、収容部１１ａの外部に突出しており、多数の繊維を集積させた筆状に構成されている。軸部材１１０のペン先１１１以外に部分も、多数の繊維を集積させて構成されている。また、ペン先１１１とは反対の軸部材１１０の端部に、後端部１１２が形成されている。なお、軸部材１１０を構成する素材は、合成樹脂や、フェルト、合成繊維等、インクを後端部１１２からペン先１１１へ運ぶことが可能な素材であればよい。軸部材１１０は、たとえばポリエステルにより構成される。
【００２９】
図２（ｂ）は、本体１１の収容部１１ａ内に収容されるインク保持部１２０の構成を示す斜視図である。
【００３０】
インク保持部１２０は、筒部１２１と吸収部材１２２を備える。筒部１２１および吸収部材１２２は、インク保持部１２０内に収容されるインクにより溶解しない合成樹脂により構成される。実施形態では、インクはエタノールを主成分とする溶剤を含むため、筒部１２１および吸収部材１２２は、耐アルコール性の合成樹脂であり、たとえばポリエステルにより構成される。筒部１２１は、透明な合成樹脂により構成され、内部に吸収部材１２２を収容しており、両端に開口１２１ａ、１２１ｂを備える。吸収部材１２２は、開口１２１ａ、１２１ｂを介して、筒部１２１の外部に繋がっている。吸収部材１２２は、スポンジ状に構成されており、インクを保持している。すなわち、吸収部材１２２にインクを含ませることにより、インク保持部１２０にインクが保持される。なお、ネイルマーカ２０の場合、吸収部材１２２は、エタノールを保持している。
【００３１】
ネイルマーカ１０の組み立ての際には、図２（ａ）に示す本体１１に対して、図２（ｂ）に示すインク保持部１２０が、開口１１ｃから挿入され収容部１１ａ内に収容される。そして、蓋１３０が開口１１ｃに嵌め込まれて設置される。これにより、図２（ｃ）に示すように、インク保持部１２０の吸収部材１２２に、軸部材１１０の後端部１１２が接続される。このように、吸収部材１２２と軸部材１１０とが接続されると、吸収部材１２２に保持されたインクが、後端部１１２からペン先１１１の先端まで浸透する。一方、ネイルマーカ２０の場合も、吸収部材１２２に保持された無色透明の液体（エタノール）が、後端部１１２からペン先１１１の先端まで浸透する。そして、図１に示すように、ペン先１１１を覆うように蓋１２が本体１１に取り付けられる。こうして、ネイルマーカ１０の組み立てが完了する。
【００３２】
図３（ａ）は、ペン先１１１の外観構成を示す図である。
【００３３】
上述したように、ペン先１１１は、軸部材１１０のうち本体１１から突出した部分である。実施形態では、ネイルマーカ１０、２０の組み立て前に、ペン先１１１の根元に相当する後端１１１ｂの周囲に、光により硬化するハードジェルが塗布される。塗布されたハードジェルは、ネイル用ライト等を用いて光が照射されることにより硬化される。ハードジェルにより後端１１１ｂの周囲が固化されると、ペン先１１１が人工爪に押し付けられたときに、ペン先１１１が潰れる範囲が先端１１１ａにほぼ制限される。これにより、ペン先１１１によりネイルアートを施しやすくなる。後端１１１ｂの周囲が固化された後、図２（ｃ）を参照して説明したように、ネイルマーカ１０の組み立てが行われる。
【００３４】
なお、後端１１１ｂの周囲に塗布される薬剤は、ハードジェルに限らず、ハードジェルと同等の薬剤など、後端１１１ｂの周囲を固化できれば他の薬剤でもよく、たとえばネイルマーカ１０のインクにより溶解しない耐アルコール性の薬剤でもよい。また、後端１１１ｂの固化は、ハードジェルが塗布されることに代えて、図３（ｂ）に示すように、ペン先１１１の後端１１１ｂの範囲に紐１１１ｃを巻き付けることにより実現されてもよい。この場合も、ペン先１１１が潰れる範囲を先端１１１ａにほぼ制限できる。
【００３５】
なお、固化が行われる範囲は、適宜調整され得る。また、ペン先１１１が筆記に適した弾力を有する場合は、後端１１１ｂの固化が省略されてもよい。
【００３６】
次に、図３（ａ）〜（ｃ）を参照して、ネイルマーカ１０の各部のサイズについて説明する。図３（ａ）〜（ｃ）には、Ｘ軸とＹ軸が示されている。Ｘ軸はネイルマーカ１０の延びる方向であり、Ｙ軸はＸ軸に垂直な方向である。
【００３７】
図３（ａ）、（ｂ）に示すように、後端１１１ｂのＸ軸方向の長さは、ｄ１である。長さｄ１は、１ｍｍ〜５ｍｍ程度に設定されるのが好ましく、実施形態では２ｍｍである。ペン先１１１の最も後端側におけるＹ軸方向の長さ（直径）は、ｄ２である。長さｄ２は、２ｍｍ〜８ｍｍ程度に設定されるのが好ましく、実施形態では４ｍｍである。ペン先１１１のＸ軸方向の長さは、ｄ３である。長さｄ３は、５ｍｍ〜１５ｍｍ程度に設定されるのが好ましく、実施形態では９ｍｍである。
【００３８】
図３（ｃ）に示すように、本体１１の後端側におけるＹ軸方向の長さ（直径）は、ｄ４である。長さｄ４は、５ｍｍ〜１５ｍｍ程度に設定されるのが好ましく、実施形態では１０ｍｍである。蓋１２のＸ軸方向の長さは、ｄ５である。長さｄ５は、３０ｍｍ〜７０ｍｍ程度に設定されるのが好ましく、実施形態では５０ｍｍである。本体１１の後端からペン先１１１の先端までのＸ軸方向の長さは、ｄ６である。長さｄ６は、９０ｍｍ〜１５０ｍｍ程度に設定されるのが好ましく、実施形態では１２０ｍｍである。ネイルマーカ１０のＸ軸方向の長さ（全長）は、ｄ７である。長さｄ７は、１００ｍｍ〜１６０ｍｍ程度に設定されるのが好ましく、実施形態では１３６ｍｍである。
【００３９】
次に、図４（ａ）〜図６（ｂ）を参照して、従来のネイルアートの形成手順（比較例）およびネイルシステム１を用いたネイルアートの形成手順（実施形態）について説明する。以下の手順で用いるカラージェルは、染料を含むとともに所定波長の光により硬化するジェルであり、トップジェルは、所定波長の光により硬化する透明なジェルである。
【００４０】
図４（ａ）は、比較例に係る従来のネイルアートの形成手順の概要を示すフローチャートである。
【００４１】
まず、使用者は、手指または足指の爪に対して、チップ、ジェル、アクリルなどにより人工爪を形成する（Ｓ１１）。次に、使用者は、図１のネイルブラシ４０と同様のネイル用ブラシを用いてカラージェルを人工爪の上に塗布し、図柄等を描画する（Ｓ１２）。Ｓ１２の描画が終わると、使用者は、ネイル用ライトを用いて、Ｓ１２において塗布したカラージェルに光を照射し、カラージェルを硬化させる（Ｓ１３）。さらにカラージェルによる図柄等の描画を続ける場合（Ｓ１４：ＮＯ）、使用者は、再度Ｓ１２、Ｓ１３の処理を行う。
【００４２】
カラージェルによる図柄等の描画が終了すると（Ｓ１４：ＹＥＳ）、使用者は、ネイルアートが施された人工爪の上にトップジェルを塗布し、ネイル用ライトを用いて塗布したトップジェルに光を照射し、トップジェルを硬化させる（Ｓ１５）。こうして、比較例におけるネイルアートの形成が終了する。
【００４３】
図４（ｂ）は、図４（ａ）のＳ１２、Ｓ１３の処理を説明するための図である。
【００４４】
使用者は、たとえば花柄等のネイルアートを形成する場合、ネイル用ブラシを用いてカラージェルを人工爪の上に塗布した後、塗布したカラージェルの上にさらに別の色のカラージェルを塗布する。この場合、図４（ｂ）に示すように、使用者は、第１のカラージェルを塗布した後、ネイル用ライトの光により第１のカラージェルを硬化させ、その後、第１のカラージェルの上に第２のカラージェルを塗布する。このように、異なる色のカラージェルを塗り重ねる場合、光による硬化の処理が必要となるため、比較例の場合はネイルアートの形成に時間がかかってしまう。
【００４５】
図５（ａ）は、実施形態に係るネイルシステム１を用いたネイルアートの形成手順の概要を示す実施形態のフローチャートである。
【００４６】
使用者は、図４（ａ）のＳ１１と同様、手指または足指の爪に対して人工爪を形成する（Ｓ２１）。次に、使用者は、ネイルマーカ１０を用いてインクを人工爪の上に塗布し、図柄等を描画する（Ｓ２２）。さらにネイルマーカ１０による図柄等の描画を続ける場合（Ｓ２３：ＮＯ）、使用者は、再度Ｓ２２の処理を行う。実施形態では、ネイルマーカ１０に収容されたインクは揮発性であるため、人工爪に塗布されたインクは速やかに乾く。したがって、実施形態では、図４（ａ）の比較例のようにネイル用ライトを用いて光を照射するＳ１３の処理は不要である。
【００４７】
ネイルマーカ１０による図柄等の描画が終了すると（Ｓ２３：ＹＥＳ）、使用者は、ネイルアートが施された人工爪の上にトップジェルを塗布し、ネイル用ライトを用いて塗布したトップジェルに光を照射し、トップジェルを硬化させる（Ｓ２４）。こうして、実施形態におけるネイルアートの形成が終了する。
【００４８】
図５（ｂ）は、図５（ａ）のＳ２２の処理を説明するための図である。
【００４９】
使用者は、たとえば花柄等のネイルアートを形成する場合、ネイルマーカ１０を用いてインクを人工爪の上に塗布した後、塗布したインクの上にさらに別の色のインクを塗布する。この場合、図５（ｂ）に示すように、使用者は、第１のインクを収容したネイルマーカ１０を用いて第１のインクを塗布した後、第１のインクとは異なる色の第２のインクを収容したネイルマーカ１０を用いて第２のインクを塗布する。このとき、第１のインクは揮発性であるため、比較例のような光による硬化の処理を行うことなく、連続的に第２のインクを塗布できる。
【００５０】
なお、使用者は、ネイルマーカ１０を用いてインクを塗布する作業の途中で、無色透明のエタノールを収容したネイルマーカ２０を用いて、既に塗布されたインクを除去することもできる。たとえば、図６（ａ）の上段に示すようにインクによる描画を失敗した場合、使用者は、ネイルマーカ２０のペン先１１１を、誤って塗布したインク上で動かすことによって、図６（ｂ）の下段に示すように誤って塗布したインクを除去する。上述したように、ネイルマーカ２０に収容されたエタノールは、ネイルマーカ１０に収容されたインクの染料を溶解可能である。したがって、ネイルマーカ２０のペン先１１１がインク上で動かされると、ペン先１１１に浸透しているエタノールにインク中の染料が溶解し、誤って描画されたインクが除去される。
【００５１】
また、使用者は、ネイルブラシ４０を用いて、既に塗布されたインクを除去することもできる。たとえば、図６（ｂ）の上段に示すように人工爪の右下部分に対してインクによる描画が行われている場合、使用者は、ネイルブラシ４０のブラシ４２に容器３０に収容されたエタノールを付けて、ブラシ４２を人工爪の上に塗布されたインクの境界に沿って動かす。これにより、はみ出したインクを除去できるため、インクの境界部分を滑らかに形成できる。この場合、使用者は、ネイルブラシ４０に代えてネイルマーカ２０を用いて、はみ出したインクを除去してもよい。
【００５２】
また、使用者は、ネイルブラシ５０のブラシ５２に容器３０に収容されたエタノールを付けて、ブラシ５２で人工爪の上を撫でることにより、人工爪に描画されたインクを広い範囲で暈かすこともできる。これにより、人工爪に描画された図柄が暈かされるため、さらに多様なネイルアートを形成できる。この場合、使用者は、ネイルブラシ５０に代えてネイルマーカ２０を用いて、人工爪に描画されたインクを狭い範囲で暈かすこともできる。
【００５３】
このように、ネイルブラシ４０、５０は、広範囲の修正、消去、暈かしなどに適しており、ネイルマーカ２０は、細部の修正、消去、暈かしなどに適している。
【００５４】
比較例では、ひとたび硬化の処理を行うと、このような消去や暈かしを行うことはできない。このため、比較例において人工爪に形成された描画を消去する場合、たとえば、その描画の背景色と同じ色のジェルをその描画に塗り重ねて硬化させる必要がある。しかしながら、このような消去方法では、消去に手間が掛かるとともに、消去対象の領域に消去のための塗り重ねが行われるため、その領域の層の厚みが大きくなる。塗り重ねにより層の厚みが大きくなると、完成した人工爪自体の美観が損なわれるだけでなく、浮いたり剥がれたりするリフトが生じやすくなり、除去作業にかかる時間も増大する。
【００５５】
これに対し、実施形態の消去方法では、消去対象の領域からインクが除去されるため、消去対象の領域の厚みが大きくなることがない。よって、薄付きで美観の良い人工爪を完成することができ、リフトが生じにくくなり、除去作業にかかる時間が短くなる。
【００５６】
次に、図７（ａ）〜図１０（ｂ）を参照して、発明者が実際に行った比較例の処理および実施形態の処理について説明する。なお、発明者は、比較例のジェルを用いた従来のネイルアートの形成については熟練者である。
【００５７】
図７（ａ）は、比較例の手順に基づいて、人工爪に対して花柄のネイルアートが形成された場合の結果を示す表である。
【００５８】
発明者は、比較例に基づいて図７（ａ）に示すＡ１〜Ａ１１の工程を順に行って花柄のネイルアートを形成した。各工程におけるジェルの塗布には、ネイル用ブラシが用いられた。また、発明者は、各工程がそれぞれ終わると、人工爪に対してネイル用ライトの光を３０秒間照射することにより、塗布したジェルを硬化させる処理を行った。
【００５９】
工程Ａ１は、人の爪を模したチップにベースジェルを塗布して人工爪を形成する工程である。工程Ａ２は、人工爪に白色のカラージェルを塗布して背景を形成する工程である。工程Ａ３は、人工爪に４色のカラージェルを塗布して、タイダイ（背景）を形成する工程である。工程Ａ４は、人工爪にクリアジェルを塗布する工程である。クリアジェルの塗布により、工程Ａ３の背景が保護されるとともに背景に奥行きが出るようになり、さらに以降の工程においてジェルによるアートを形成しやすくなる。
【００６０】
工程Ａ５は、人工爪にカラージェルを塗布してバラの下地を形成する工程である。工程Ａ６、Ａ７は、人工爪にカラージェルを塗布してバラのふちを形成する工程である。工程Ａ８は、人工爪にカラージェルを塗布して葉を形成する工程である。工程Ａ９は、人工爪にカラージェルを塗布して人工爪の枠を形成する工程である。工程Ａ１０は、人工爪にラメ入りのジェルを塗布する工程である。工程Ａ１１は、人工爪にトップジェルを塗布する工程である。
【００６１】
発明者は、工程Ａ１〜Ａ１１および各工程後の硬化の処理を実行することにより、図８（ａ）に示すように、比較例の手順に基づく花柄のネイルアートを完成させた。この場合、図７（ａ）に示すように、工程Ａ１〜Ａ１１に要した時間は合計で１１分３０秒であり、工程Ａ１〜Ａ１１後の硬化の処理に要した時間は合計で５分３０秒であった。したがって、比較例に基づく花柄のネイルアートの形成に要した時間は合計で１７分であった。
【００６２】
図７（ｂ）は、実施形態の手順に基づいて、人工爪に対して花柄のネイルアートが形成された場合の結果を示す表である。
【００６３】
発明者は、実施形態に基づいて図７（ｂ）に示すＢ１〜Ｂ６の工程を順に行って花柄のネイルアートを形成した。工程Ｂ１〜Ｂ３、Ｂ５、Ｂ６におけるジェルの塗布には、ネイルブラシ４０が用いられた。工程Ｂ４におけるインクの塗布には、ネイルマーカ１０が用いられた。また、発明者は、工程Ｂ１〜Ｂ３、Ｂ５、Ｂ６がそれぞれ終わると、人工爪に対してネイル用ライトの光を３０秒間照射することにより、塗布したジェルを硬化させる処理を行った。
【００６４】
工程Ｂ１、Ｂ２は、それぞれ工程Ａ１、Ａ２と同様である。工程Ｂ３は、人工爪に通常のジェルよりも未硬化ジェルが出にくいマットコートジェルを塗布する工程である。マットコートジェルが塗布されることにより、続く工程Ｂ４において、ネイルマーカ１０のペン先１１１が人工爪の上で滑りにくくなり、インクによる描画を行いやすくなる。また、後段の工程で塗布するジェルの接着性がよくなる。なお、マットコートジェルを塗布することに代えて、ネイルバッファーで表面を擦ることにより、マットコートジェルの塗布と同様の効果を得ることもできる。
【００６５】
工程Ｂ４は、ネイルマーカ１０を用いて人工爪にインクを塗布する工程である。工程Ｂ４では、光による硬化の処理が行われることなく、ネイルマーカ１０を用いて連続的にタイダイ（背景）、バラ、葉、および人工爪の枠が形成される。工程Ｂ４では、ネイルマーカ２０とネイルブラシ４０が適宜用いられた。なお、比較例では、クリアジェルの塗布により背景に奥行きが出せるようになったが、実施形態では、クリアジェルを用いなくても、背景の描画のあとで各部を描画するだけで、背景に奥行きを出すこともできる。工程Ｂ５、Ｂ６は、それぞれ工程Ａ１０、Ａ１１と同様である。
【００６６】
発明者は、工程Ｂ１〜Ｂ６および工程Ｂ１〜Ｂ３、Ｂ５、Ｂ６後の硬化の処理を実行することにより、図８（ｂ）に示すように、実施形態の手順に基づく花柄のネイルアートを完成させた。この場合、図７（ｂ）に示すように、工程Ｂ１〜Ｂ６に要した時間は合計で５分３０秒であり、工程Ｂ１〜Ｂ３、Ｂ５、Ｂ６後の硬化の処理に要した時間は合計で２分３０秒であった。したがって、実施形態に基づく花柄のネイルアートの形成に要した時間は８分であった。
【００６７】
図９（ａ）は、比較例の手順に基づいて、人工爪に対して天然石のネイルアートが形成された場合の結果を示す表である。
【００６８】
発明者は、比較例に基づいて図９（ａ）に示すＣ１〜Ｃ９の工程を順に行って天然石のネイルアートを形成した。各工程におけるジェルの塗布には、ネイル用ブラシが用いられた。また、発明者は、各工程がそれぞれ終わると、人工爪に対してネイル用ライトの光を３０秒間照射することにより、塗布したジェルを硬化させる処理を行った。
【００６９】
工程Ｃ１、Ｃ２は、工程Ａ１、Ａ２と同様である。工程Ｃ３は、人工爪にカラージェルを塗布して、ブルーの柄を形成する工程である。工程Ｃ４は、人工爪にクリアジェルを塗布する工程である。工程Ｃ５は、人工爪にカラージェルを塗布して、ブラウンの柄を形成する工程である。工程Ｃ６は、人工爪にクリアジェルを塗布する工程である。工程Ｃ７は、人工爪にカラージェルを塗布して、ホワイトの柄を形成する工程である。工程Ｃ８は、人工爪に金箔入りのジェルを塗布する工程である。工程Ｃ９は、工程Ａ１１と同様である。
【００７０】
発明者は、工程Ｃ１〜Ｃ９および各工程後の硬化の処理を実行することにより、図１０（ａ）に示すように、比較例の手順に基づく天然石のネイルアートを完成させた。この場合、工程Ｃ１〜Ｃ９に要した時間は合計で７分３０秒であり、工程Ｃ１〜Ｃ９後の硬化の処理に要した時間は合計で４分３０秒であった。したがって、比較例に基づく天然石のネイルアートの形成に要した時間は合計で１２分であった。
【００７１】
図９（ｂ）は、実施形態の手順に基づいて、人工爪に対して天然石のネイルアートが形成された場合の結果を示す表である。
【００７２】
発明者は、実施形態に基づいて図９（ｂ）に示すＤ１〜Ｄ６の工程を順に行って天然石のネイルアートを形成した。工程Ｄ１〜Ｄ３、Ｄ５、Ｄ６におけるジェルの塗布には、ネイルブラシ４０が用いられた。工程Ｄ４におけるインクの塗布には、ネイルマーカ１０が用いられた。また、発明者は、工程Ｄ１〜Ｄ３、Ｄ５、Ｄ６がそれぞれ終わると、人工爪に対してネイル用ライトの光を３０秒間照射することにより、塗布したジェルを硬化させる処理を行った。
【００７３】
工程Ｄ１〜Ｄ３は、工程Ｂ１〜Ｂ３と同様である。工程Ｄ４は、ネイルマーカ１０を用いて人工爪にインクを塗布する工程である。工程Ｄ４では、光による硬化の処理が行われることなく、ネイルマーカ１０を用いて連続的にブルー、ブラウン、およびホワイトの柄が形成される。また、工程Ｄ４では、ネイルマーカ２０とネイルブラシ４０が適宜用いられた。工程Ｄ５、Ｄ６は、それぞれ工程Ｃ８、Ｃ９と同様である。
【００７４】
発明者は、工程Ｄ１〜Ｄ６および工程Ｄ１〜Ｄ３、Ｄ５、Ｄ６後の硬化の処理を実行することにより、図１０（ｂ）に示すように、実施形態の手順に基づく天然石のネイルアートを完成させた。この場合、工程Ｄ１〜Ｄ６に要した時間は合計で２分３０秒であり、工程Ｄ１〜Ｄ３、Ｄ５、Ｄ６後の硬化の処理に要した時間は合計で２分３０秒であった。したがって、実施形態に基づく天然石のネイルアートの形成に要した時間は５分であった。
【００７５】
図７（ａ）、（ｂ）と図９（ａ）、（ｂ）の結果を参照して分かるように、実施形態では、比較例に比べて、硬化の処理を行った回数が少なく、全工程に要した時間が短い。このため、実施形態では、比較例に比べて、全作業に要した時間が半分以下に短くなっている。
【００７６】
また、図８（ａ）、（ｂ）と図１０（ａ）、（ｂ）の完成したネイルアートを参照して分かるように、実施形態では、比較例に比べて、ネイルアートがより精緻である。上述したように、この作業を行った発明者は、比較例のジェルを用いた従来のネイルアートの形成については熟練者である。このように熟練者が作業を行ったとしても、実施形態のネイルマーカ１０を用いた方が、従来のジェルを用いた比較例の手法に比べてより精緻に図柄を描画できる。また、比較例のジェルを用いた従来のネイルアートの形成においては、未熟者が熟練者と同様のレベルのネイルアートを形成するには、かなりの熟練期間を要する。これに対し、実施形態のネイルマーカ１０が用いられると、ネイルマーカ１０を日常的に用いるペンと同様に扱うことができるため、たとえ未熟者であっても、短期間の訓練で、熟練者と同様のレベルのネイルアートを描画できるようになり、難しいネイルアートも描画できるようになる。
【００７７】
＜実施形態の効果＞
図２（ｃ）に示すように、インク保持部１２０に保持されたインクが、軸部材１１０に浸透し、ペン先１１１まで移動する。これにより、ペン先１１１を人工爪に接触させることで、人工爪にネイルアートを施すことができる。また、ネイルマーカ１０がペン状であるため、使用者は、ネイルマーカ１０を手指で把持して簡便に人工爪にネイルアートを施すことができる。さらに、インクが揮発性であるため、インクを人工爪に塗布した後、ネイル用ライトの光によって硬化させなくとも、インクが速やかに乾いて、他のインクを重ね塗りできる。よって、使用者は、所望のネイルアートを迅速に完成させることができる。
【００７８】
蓋１２は、本体１１に対し着脱可能に構成されており、ペン先１１１を外部に対して開放および遮蔽する。蓋１２が本体１１に対して取り付けられペン先１１１を覆うと、ネイルマーカ１０を使用しない状態において、ペン先１１１からアルコール染料インクが揮発することを抑制できる。ネイルマーカ２０の場合も同様に、ペン先１１１からエタノールが揮発することを抑制できる。
【００７９】
たとえば、ネイル用パレットにアルコール染料インクが載せられ、アルコール染料インクをネイル用ブラシ等によって人工爪に塗布するような比較例の場合、作業時間の経過に伴ってネイル用パレット上のアルコール染料インクが揮発してしまう。この場合、溶剤の揮発と共にインクの粘性が意図せず高くなり、結果、作業を支障なく行うことが困難になる。しかしながら、ネイルマーカ１０が用いられると、インクが本体１１内に収容され、不使用時に蓋１２によりペン先１１１が覆われるため、不要な揮発を最小限に抑えることができる。また、インクが本体１１の内部に収容されているため、作業中の揮発も抑制される。これにより、常に良好なコンディション（濃度）のインクを使ってアートを施すことができる。
【００８０】
また、インクによりネイルアートが形成されると、上記比較例のようにジェルによってネイルアートが形成される場合に比べて、人工爪に形成されるネイルアートの厚みを抑制できる。すなわち、比較例では、描画領域に塗布されたジェルの厚みが厚くなるが、実施形態では、インクで描画がなされるため描画領域の厚みは比較例に比べてかなり薄い。特に、同じ領域に複数の色が塗り重ねられる場合は、比較例と実施形態による厚みの差が、より顕著となる。このように、実施形態の方法では、比較例に比べて、ネイルアートの厚みを抑制できるため、薄付きで美観の良い人工爪を完成することができ、リフトが生じにくくなり、除去作業にかかる時間が短くなる。
【００８１】
ネイルマーカ１０に収容されるインクは、油性のインクである。油性のインクの場合、水性のインクとは異なり、インクが人工爪に対して弾かれにくい。よって、ネイルマーカ１０を用いて人工爪に対して円滑にネイルアートを施すことができる。
【００８２】
ネイルマーカ１０に収容されるインクは、アルコール類を主成分とする溶剤に染料を溶解させたアルコール染料インクである。このようにアルコール染料インクの場合、インクに含まれる染料が有機溶剤に溶解しやすいため、有機溶剤を用いて、塗布したインクを消すことができ、あるいは暈かすことができる。したがって、使用者は、より簡便に所望のネイルアートを人工爪に施すことができる。また、アルコール染料インクの場合、人工爪がポリスチレン等のチップであっても、チップが溶解することがない。
【００８３】
より詳細には、ネイルマーカ１０に収容されるインクは、エタノールを主成分とする溶剤に染料を溶解させたエタノール染料インクである。エタノール染料インクの場合、エタノール以外のアルコール類に比べて人体に対する安全性が高い。したがって、ネイルマーカ１０に収容されるインクとして、エタノール染料インクが用いられるのが好ましい。
【００８４】
ネイルマーカ１０、２０のペン先１１１は、先端に向かって細い円錐状の形状を有する。これにより、使用者は、細かい線や図柄を人工爪に簡便に描くことができる。
【００８５】
ネイルマーカ１０、２０のペン先１１１は、多数の繊維を集積させた筆状に形成されている。これにより、ペン先１１１が弾力性を持って撓むようになるため、使用者は、人工爪に対するペン先１１１の押しつけ力を変化させることにより、人工爪に対するペン先１１１の接触面積を変化させることができる。よって、使用者は、力加減により簡便に、所望の太さの線や図柄を描くことができる。
【００８６】
ネイルマーカ１０、２０のペン先１１１の根元に相当する後端１１１ｂの周囲が固化されている。これにより、ペン先１１１が人工爪に押しつけられたときにペン先１１１が潰れる範囲を制限できる。よって、細かい図柄をより簡便に描くことができる。また、根元に相当する後端１１１ｂの周囲が固化されているため、根元自体は撓み得る。このため、使用者は、人工爪にペン先１１１を押し当てたときのペン先１１１全体の弾力感を感じながら、円滑に、図柄の描画を進めることができる。
【００８７】
ネイルシステム１は、インクを収容したネイルマーカ１０と、インクの染料を溶解可能な無色かつ揮発性の液体としてエタノールを収容したネイルマーカ２０と、を備える。これにより、ネイルマーカ１０で人工爪に塗布したインクの箇所をネイルマーカ２０でなぞると、塗布されたインク中の染料がネイルマーカ２０のエタノールに溶解する。したがって、使用者は、人工爪に塗布したインクの箇所を、適宜、ネイルマーカ２０により消すことができ、あるいは、当該インクの箇所を暈かすことができる。よって、使用者は、より簡便に所望のネイルアートを人工爪に施すことができる。
【００８８】
また、ネイルマーカ２０により人工爪に塗布されたインクを消すことができると、ネイルアートの厚みを抑制できる。上記比較例のように、カラージェルによってネイルアートが形成される場合、人工爪に塗布されたカラージェルを消すためには、たとえば、さらに白色等の別の色のカラージェルを塗布する必要がある。これに対し、実施形態では、ネイルマーカ２０のエタノールによりインクを除去できるため、ネイルアートの修正を行ったとしても、人工爪に形成されるネイルアートの厚みを抑制できる。したがって、薄付きで美観の良い人工爪を完成することができ、リフトが生じにくくなり、除去作業にかかる時間が短くなる。
【００８９】
ネイルマーカ１０に収容されているインクの溶剤と同じ溶剤として、エタノールがネイルマーカ２０に収容されている。これにより、ネイルマーカ１０により塗布されたインクの染料をネイルマーカ２０により塗布されたエタノールに円滑かつ確実に溶け込ませることができる。よって、使用者は、円滑に、インクの消去または暈かしの作業を進めることができる。
【００９０】
図１に示すように、ネイルシステム１は、互いに異なる色のインクを収容した複数のネイルマーカ１０を備える。よって、使用者は、随時、複数のネイルマーカ１０を使い分けることにより、様々な色を取り込んだネイルアートを簡便に形成できる。
【００９１】
ネイルマーカ１０の本体１１、蓋１２、および筒部１２１は、透明な部材により構成されている。これにより、ネイルマーカ１０に収容されたインクの色を、外側から確認することができる。
【００９２】
ネイルシステム１は、ネイルマーカ１０に収容されたインクの染料を溶解可能な無色かつ揮発性の液体としてエタノールを収容する容器３０と、容器３０に収容されたエタノールを塗布するためのネイルブラシ４０、５０と、を備える。これにより、使用者は、人工爪に塗布されたインクの広い範囲を、ネイルブラシ４０、５０を用いて、消去しまたは暈かすことができる。よって、使用者は、さらに円滑にネイルアートの形成を進めることができる。なお、ネイルシステム１は、ネイルブラシ４０、５０に加えて、ブラシの形状が異なるネイルブラシをさらに備えてもよい。
【００９３】
＜変更例＞
以上、本発明の実施形態について説明したが、本発明は、上記実施形態に限定されるものではなく、他に種々の変更が可能である。
【００９４】
たとえば、上記実施形態では、ネイルマーカ１０のペン先１１１は、筆状に形成されたが、これに限らず、棒状やブラシ状に形成されてもよい。
【００９５】
また、上記実施形態では、ネイルマーカ１０とネイルマーカ２０は、同じ形状に構成されたが、必ずしも同じ形状でなくてもよい。また、ネイルマーカ１０に収容されているインクの溶剤と、ネイルマーカ２０および容器３０に収容されている液体とは、必ずしも、同じでなくてもよく、インクの染料を溶解可能な揮発性の液体である限り、インクの溶剤とは異なる溶剤がネイルマーカ２０および容器３０に収容されてもよい。
【００９６】
また、上記実施形態では、ネイルマーカ１０に収容されるインクは、エタノールを主成分とする溶剤に染料を溶解させたエタノール染料インクであったが、これに限らず、エタノール以外のアルコール類を主成分とする溶剤に染料を溶解させたアルコール染料インクであってもよく、アルコール類以外の溶剤（たとえばキシレン系の溶剤）に染料を溶解させたインクであってもよい。ただし、インクの溶剤がキシレン系の溶剤である場合、有機溶剤を用いて塗布したインクを容易に消すことができないことがある。したがって、上記実施形態のように塗布したインクを消したり暈かしたりする場合には、インクの溶剤の主成分はアルコール類であることが好ましく、さらにエタノールであることが好ましい。
【００９７】
また、上記実施形態では、ネイルマーカ１０、２０の不使用時には、ネイルマーカ１０、２０が収容するインクおよびエタノールの揮発を防ぐために、蓋１２が本体１１に取り付けられた。しかしながら、揮発を防ぐための構成は蓋１２に限られず、ペン先１１１を外部に対して開放および遮蔽するための開閉部材であればよい。たとえば、インク保持部１２０と軸部材１１０が本体１１に対してスライド可能に構成され、ネイルマーカ１０、２０の不使用時には、インク保持部１２０と軸部材１１０の全体が本体１１内に収容される構成であってもよい。この場合、本体１１の開口１１ｂに、軸部材１１０の移動に合わせて開口１１ｂを開閉する蓋が設けられてもよい。
【００９８】
また、上記実施形態では、スポンジ状の吸収部材１２２にインクを含ませることによりインク保持部１２０にインクが保持されたが、収容部１１ａにインクを貯留させる構成であってもよい。この場合、収容部１１ａがインク保持部を構成する。
【００９９】
また、上記実施形態では、本体１１、蓋１２、および筒部１２１が、透明な部材により構成されることにより、ネイルマーカ１０、２０の内部に収容された液体の色を識別できた。しかしながら、これに限らず、ネイルマーカ１０、２０が、内部に収容する液体の色を識別可能な他の識別手段を備えてもよい。
【０１００】
図１１（ａ）、（ｂ）は、変更例に係るネイルマーカ１０の識別手段の構成を示す図である。
【０１０１】
図１１（ａ）の変更例では、上記実施形態と比較して、本体１１に識別子１１ｄ、１１ｅが設置され、蓋１２に識別子１２ａが設置され、蓋１３０に識別子１３１が設けられている。識別子１１ｄ、１２ａ、１３１には、ネイルマーカ１０の内部に収容されたインクの色と同じ色が付されている。識別子１１ｅには、ネイルマーカ１０の内部に収容されたインクの色を示す文字列（たとえば、「red」など）が付されている。この場合、本体１１と蓋１２は、透明な部材ではなく、たとえば白や黒といったデザイン性を有する色の部材により構成される。図１１（ａ）に示す変更例によれば、使用者は、識別子１１ｄ、１２ａ、１３１の色と識別子１１ｅの文字列を参照することにより、ネイルマーカ１０の内部に収容されたインクの色を把握できる。
【０１０２】
図１１（ｂ）の変更例では、上記実施形態と比較して、本体１１と蓋１２、１３０に、ネイルマーカ１０の内部に収容されたインクの色と同じ色が付されている。この場合も、使用者は、各部の色を参照することにより、ネイルマーカ１０の内部に収容されたインクの色を把握できる。
【０１０３】
なお、図１１（ａ）に示す変更例において、内部にエタノールを収容するネイルマーカ２０の場合、識別子１１ｄ、１２ａ、１３１の色は透明とされ、識別子１１ｅの文字列は「透明」とされる。また、図１１（ｂ）に示す変更例においても、内部にエタノールを収容するネイルマーカ２０の場合、本体１１と蓋１２、１３０の色は透明とされる。これにより、使用者は、ネイルマーカ２０の内部にエタノールが収容されていることを把握できる。
【０１０４】
また、図１１（ｂ）の構成において、内部にエタノールを収容するネイルマーカ２０の本体１１および蓋１２、１３０の色は透明でなくてもよく、内部にインクを収容するネイルマーカ１０の本体１１および蓋１２、１３０の色と相違していればよい。この場合、本体１１および蓋１２、１３０の色によって、内部にエタノールを収容するネイルマーカ２０が識別可能であるため、ネイルマーカ２０には、必ずしも、識別子１１ｄ、１１ｅ、１２ａ、１３１が付されなくてもよい。
【０１０５】
また、図１１（ａ）に示した識別子１１ｄ、１２ａ、１３１のうち何れかが省略されてもよく、あるいは、他の識別子が追加されもよい。また、図１１（ｂ）に示したようにネイルマーカ１０、２０の全体に色が付されなくてもよく、ネイルマーカ１０、２０の一部に色が付されてもよい。たとえば、蓋１２にのみ色が付されてもよい。
【０１０６】
この他、本発明の実施形態は、特許請求の範囲に示された技術的思想の範囲内において、適宜、種々の変更が可能である。
【符号の説明】
【０１０７】
１  ネイルシステム
１０  ネイルマーカ（ネイルマーカ、第１のネイルマーカ）
１１  本体（本体、識別手段）
１１ａ  収容部
１１ｄ、１１ｅ  識別子（識別手段）
１２  蓋（蓋、開閉部材、識別手段）
１２ａ  識別子（識別手段）
２０  ネイルマーカ（第２のネイルマーカ）
３０  容器
４０、５０  ネイルブラシ
１１０  軸部材
１１１  ペン先
１１２  後端部（端部）
１２０  インク保持部
１３０  蓋（識別手段）
１３１  識別子（識別手段）
【図１】
2020121014.tif 000003
【図２】
2020121014.tif 000004
【図３】
2020121014.tif 000005
【図４】
2020121014.tif 000006
【図５】
2020121014.tif 000007
【図６】
2020121014.tif 000008
【図７】
2020121014.tif 000009
【図８】
2020121014.tif 000010
【図９】
2020121014.tif 000011
【図１０】
2020121014.tif 000012
【図１１】
2020121014.tif 000013